(57)【要約】【課題】  装飾の変更が容易であるとともに、安価且つ装飾性に優れた装飾付眼鏡フレームの提供を目的とする。【解決手段】  眼鏡フレーム１０に対するテンプル連結用金具１４の下面に、装飾物吊り下げ用リング１９を一体に備え、該リング１９に宝飾品などの装飾部２１を備えた装飾具１１を吊り下げ自在自在とする。【選択図】  図２
2010060780.tif 000002
【特許請求の範囲】
【請求項１】
レンズフレームに対するテンプル連結用金具の下面に、装飾物吊り下げ用リングを一体に備え、該リングに宝飾品などの装飾物を吊り下げ自在にしたことを特徴としてなる装飾付眼鏡フレーム。
【請求項２】
前記テンプル連結用金具は、レンズフレーム両側のヨロイとテンプルとを回動可能に連結する蝶番であり、該蝶番の枢軸を構成するボルトの下端に、該ボルトがねじ込まれる雌ネジ穴の内径より小さい外形のリングを一体に備えた請求項１に記載の装飾付眼鏡フレーム。
【請求項３】
前記蝶番を構成するボルトの下端に螺合するナットを備え、該ナットの下端面に前記リングを備えてなる請求項２に記載の装飾付眼鏡フレーム。
【発明の詳細な説明】
【技術分野】
【０００１】
本発明は、主にテンプル連結用金具の下面に装飾物吊り下げた装飾付眼鏡フレームに関する。
【背景技術】
【０００２】
従来、眼鏡フレームの装飾は、眼鏡レンズフレーム両脇のヨロイ、もしくはテンプルに宝飾品等の装飾品を埋め込んだものが一般的に知られている。
【０００３】
しかし、装飾品が埋め込まれた眼鏡フレームの場合、装飾品の変更が容易にできないという問題があった。
【０００４】
そこで、図６に示すような眼鏡フレーム１を装飾する装飾具２が考案されている。（特許文献１）
この装飾具２は、ヨロイ３もしくはテンプル４に吊り下げ可能なフック部５と、フック部５に連結されているチェーン６と、チェーン６先端に連結されている宝飾品等の装飾品７から成り、ヨロイ３、もしくはテンプル４に装着され、眼鏡フレーム１を装飾するものである。
【０００５】
この装飾具２のフック部５は、ゴム状可撓管８で嵌め付けられ、吊り下げ位置よりずれにくく様々な眼鏡フレームに装着可能である。
【０００６】
また、この装飾具２は眼鏡フレーム１より容易に着脱可能であることから、宝飾品の変更も容易となる。
【特許文献１】特願２００７−５８１２０号
【発明の開示】
【発明が解決しようとする課題】
【０００７】
しかし、上述の如き従来の眼鏡フレーム１の装飾具２では、装飾具２が眼鏡フレーム１に装着部がはっきり判別できてしまい、一体感がなく、フック部５のゴム状可撓管８が宝飾品等の装飾には不似合いで装飾性が低いという問題があった。
【０００８】
そこで本発明は、上述の従来技術の問題を鑑み、装飾の変更が容易であるとともに、安価且つ装飾性に優れた装飾付眼鏡フレームの提供を目的とする。
【課題を解決するための手段】
【０００９】
上述の如き従来の問題を解決し、所期の目的を達成するための請求項１に記載の発明は、レンズフレームに対するテンプル連結用金具の下面に、装飾物吊り下げ用リングを一体に備え、該リングに宝飾品などの装飾物を吊り下げ自在にした装飾付眼鏡フレームであることを特徴とする。
【００１０】
請求項２に記載の発明は、請求項１の構成に加え、前記テンプル連結用金具は、レンズフレーム両側のヨロイとテンプルとを回動可能に連結する蝶番であり、該蝶番の枢軸を構成するボルトの下端に、該ボルトがねじ込まれる雌ネジ穴の内径より小さい外形のリングを一体に備えた装飾付眼鏡フレームであることを特徴とする。
【００１１】
請求項３に記載の発明は、請求項２の構成に加え、前記蝶番を構成するボルトの下端に螺合するナットを備え、該ナットの下端面に前記リングを備えてなる装飾付眼鏡フレームであることを特徴とする。
【発明の効果】
【００１２】
本発明に係る装飾付眼鏡フレームは、レンズフレームに対するテンプル連結用金具の下面に、装飾物吊り下げ用リングを一体に備え、該リングに宝飾品などの装飾物を吊り下げ自在にしたことによって、装飾物取り付け部が目立たず、違和感なく装飾物が装着可能である。加えて、吊り下げる装飾品が着脱可能になることにより、使用者が気分やＴＰＯに合わせて取替え自在とすることが容易となる。また、装飾物が吊り下げられて揺振することによって宝飾品等を使用した場合の輝きが増し、装飾効果が向上する。
【００１３】
前記テンプル連結用金具は、レンズフレーム両側のヨロイとテンプルとを回動可能に連結する蝶番であり、該蝶番の枢軸を構成するボルトの下端に、該ボルトがねじ込まれる雌ネジ穴の内径より小さい外形のリングを一体に備えたことにより、本来の眼鏡フレームの構成要素である既存のボルトにリングを固着するのみでよいため加工が容易であり、コストを抑えることができる。
【００１４】
前記蝶番を構成するボルトの下端に螺合するナットを備え、該ナットの下端面に前記リングを備えることにより、ナットはボルトに比べ径が大きいため、リング固着作業がより容易となる。また、ナットはボルトにリングを固着するのに比べ、リングの径を大きくできることにより、比較的重量の大きい装飾物の吊り下げに耐えることが可能となり、装飾の多様性が広がる。
【発明を実施するための最良の形態】
【００１５】
次に、本発明に係る装飾付眼鏡フレームについて説明する。
【００１６】
図１〜図３は、本発明に係る装飾付眼鏡フレームの一例を示し、図中符号１０は眼鏡フレーム、図中符号１１は眼鏡フレーム１０に装着される装飾具である。
【００１７】
眼鏡フレーム１０は、２枚のレンズを保持するレンズフレーム１２と、レンズフレーム１２両脇のヨロイ１３と、テンプル連結用金具１４によってヨロイ１３と連結されるテンプル１５を備えている。
【００１８】
テンプル連結用金具１４は、ヨロイ１３のレンズフレーム１２とは逆側に形成された蝶番片１３ａ、１３ｂと、テンプル１５のヨロイ１３側に形成された蝶番片１５ａとが、かみ合い回動可能に連結する蝶番であり、ボルト１６が、蝶番片１３ａ、１５ａ、１３ｂに連穿する枢支穴１７に挿入される。
【００１９】
枢支穴１７の下端となる蝶番片１３ｂの枢支穴１７内側面には、ボルト１６に螺合する雌ネジ部１８を備え、ボルト１６をねじ込むことにより、蝶番の枢軸となる。
【００２０】
ボルト１６の下端には、装飾具１１が吊り下げられるリング１９が設けられている。
【００２１】
リング１９の外形は、枢支穴１７の内径より小さく形成され、枢支穴１７にボルト１６をねじ込む際に邪魔にならない。
【００２２】
装飾具１１は、逆Ｕ字状に湾曲したフック部２０と、フック部２０に連結された宝飾品等の装飾部２１を備えている。
【００２３】
このように構成された眼鏡フレーム１０は、ボルト１６下端のリング１９を設けることにより、装飾具１１のフック部２０をリング１９に吊り下げることが可能となり、眼鏡フレーム１０の装飾が容易となる。また、装飾具１１が着脱可能であるので、気分やＴＰＯに合わせて自在にデザインを変更することができる。
【００２４】
次に、本発明に係る装飾付眼鏡フレームの他の実施例を説明する。尚、上述の実施例と同一部分には同一符号を付して説明を省略する。
【００２５】
図４〜図５は本発明に係る装飾付眼鏡フレームの一例を示し、図中符号１０は眼鏡フレーム、図中符号１１は眼鏡フレーム１０に装着される装飾具である。
【００２６】
眼鏡フレーム１０は、２枚のレンズを保持するレンズフレーム１２と、レンズフレーム１２両脇のヨロイ３０と、テンプル連結用金具１４によってヨロイ３０と連結されるテンプル３１を備えている。
【００２７】
テンプル連結用金具１４は蝶番であり、ボルト３２が、蝶番片３０ａ、３１ａ、３０ｂに連穿する枢支穴１７に挿入される。
【００２８】
ボルト３２は、テンプル連結用金具１４下面より突出する長さを用い、ボルト３２の突出部３２ａを、ナット３３で締め付ることにより、蝶番の枢軸となる。
【００２９】
ナット３３の下端には、装飾具１１が吊り下げられるリング３４が設けられている。
【００３０】
このように構成された眼鏡フレーム１０は、ナット３３下端のリング３４を設けることにより、装飾具１１のフック部２０がリング３４に吊り下げることが可能となり、眼鏡フレーム１０を装飾している。
【００３１】
尚、上述の実施例では、眼鏡フレーム１０は２枚のレンズを保持するレンズフレーム１２を備えたものについて説明したが、ヨロイ１３が直接レンズを保持した所謂縁なし眼鏡でも同様に実施可能である。
【００３２】
また、上述の実施例では、テンプル連結用金具１４の蝶番片１３ａ、１３ｂ、１５ａは、ヨロイ１３、及びテンプル１５に一体成型されたものについて説明したが、テンプル連結用金具１４をヨロイ１３、テンプル１５間に後から溶接したものを用いてもよい。同様に蝶番片３０ａ、３０ｂ、３１ａは、ヨロイ３０、及びテンプル３１に一体成型されたものについて説明したが、テンプル連結用金具１４をヨロイ３０、テンプル３１間に後から溶接したものを用いてもよい。
【００３３】
上述の実施例では、ナット３３で締め付ることにより、ボルト３２が蝶番の枢軸となるものについて説明したが、蝶番片３１ｂの枢支穴１７の内側面に雌ネジ部を設け、ナット３３と共に、ボルト３２を固定する構造としてもよい。
【００３４】
また、装飾具１１として吊り下げ式ピアス等を活用してもよい。
【図面の簡単な説明】
【００３５】
【図１】本発明に係る装飾付眼鏡フレームの概略を示す右側面図である。
【図２】同上の装飾付眼鏡フレームの装飾部を示す拡大図である。
【図３】同上の装飾付眼鏡フレームの装飾部を示すＡ―Ａ線断面図である。
【図４】同上の装飾付眼鏡フレームの装飾部の断面分解図である。
【図５】本発明に係る装飾付眼鏡フレームの他の一例の装飾部を示す拡大図である。
【図６】同上の装飾付眼鏡フレームの装飾部を示すＢ―Ｂ線断面図である。
【図７】従来の装飾付眼鏡フレームの装飾具使用状態を示す断面図である。
【符号の説明】
【００３６】
１０  眼鏡フレーム
１１  装飾具
１２  レンズフレーム
１３  ヨロイ
１３ａ、１３ｂ  蝶番片
１４  テンプル連結用金具
１５  テンプル
１５ａ  蝶番片
１６  ボルト
１７  枢支穴
１８  雌ネジ部
１９  リング
２０  フック部
２１  装飾部
３０  ヨロイ
３０ａ、３０ｂ  蝶番片
３１  テンプル
３１ａ  蝶番片
３２  ボルト
３２ａ  突出部
３３  ナット
３４  リング
【図１】
2010060780.tif 000003
【図２】
2010060780.tif 000004
【図３】
2010060780.tif 000005
【図４】
2010060780.tif 000006
【図５】
2010060780.tif 000007
【図６】
2010060780.tif 000008
【図７】
2010060780.tif 000009